(57)【要約】【課題】大魚を釣上げる時は、従来の大魚釣用リールと同様に釣糸ガイド装置を用いない釣上げが可能であると共に、空巻取等では、釣糸ガイド装置が備えていた機能を随意に発揮させることのできる大魚釣用リールを提供する。【解決手段】本発明による大魚釣用リール１は、釣糸巻取機構３により釣糸をスプール５に巻取る両軸受型であり、スプール５と平行に配置されて釣糸をスプール５に平均的に巻取らせる釣糸ガイド装置７と、釣糸ガイド装置７に装備されて釣糸から着脱自在に形成される釣糸ガイド部材１０から構成されるものであり、釣人が任意の時に釣糸ガイド装置７の釣糸ガイド部材１０を、釣糸から着脱自在に操作できるように形成している。【選択図】  図１
2004147615.tif 000002
【特許請求の範囲】
【請求項１】
釣糸巻取機構により釣糸をスプールに巻取る両軸受型の大魚釣用リールであって、スプールと平行に配置されて釣糸をスプールに平均的に巻取らせる釣糸ガイド装置と、該釣糸ガイド装置に装備されて釣糸から着脱自在に操作できるように形成される釣糸ガイド部材から構成される大魚釣用リール。
【発明の詳細な説明】
【０００１】
【発明の属する技術分野】
本発明は、大魚釣用リールに関し、特に大魚を釣上げる際は、釣糸ガイド装置の釣糸ガイド部材を釣糸から外して機能させず、空巻取等の時は、釣糸ガイド部材を釣糸に関与させることで、釣糸をスプールに平均的に巻取りさせることのできる大魚釣用リールに関する。
【０００２】
【従来の技術】
従来の釣用リールには、一般的に釣糸ガイド装置が装備されており、特に、比較的中小型の魚釣用のリールでは、中級以上の殆どの釣用リールに採用されている。この理由は、釣用リールが、釣糸を釣糸巻取機構によってスプールに巻取る際に、釣糸ガイド装置を釣糸の巻取操作に連動させながら、スプール軸に対して左右に案内することで、釣糸をスプールに平均して巻取る機能を発揮させて、以下の効果を奏するためである。
【０００３】
▲１▼  巻取操作をするだけの簡単な操作で、釣糸をスプールに均一に巻取ることができる。
▲２▼  釣糸をスプールに均一に巻き取ることで、より長い釣糸を良好に巻取ることができる。
▲３▼  仕掛けを遠くのポイントに投げ入れるキャスティング動作において、均一に巻取られた釣糸の使用により、釣糸の放出操作をよりスムーズに実行できる。
【０００４】
しかるに、従来の大魚釣用リールには、釣糸ガイド装置が装備されていなかった。
【０００５】
即ち、従来の大魚釣用リールは、両軸受型リールの採用を一般的にしているが、その理由は、釣糸の巻取機構で稼働するスプールの回転軸を釣糸の巻取方向と直角に構成することで、繰出した釣糸の巻取方向と釣糸のスプールへの巻取方向を同一にしており、大魚を釣上げるリールの巻取操作において、スプールに釣糸を巻取る操作力を繰出した釣糸の巻取力に無駄なく転換させられるという、大魚釣りに好適なリール型式だからである。
【０００６】
しかして、従来の大魚釣用リールが、釣糸ガイド装置を装備していなかったのは、次の不具合を要因にしているからである。
【０００７】
▲１▼  大魚の釣れた時の張力が大きいために、釣糸ガイド装置と釣糸との間の摩擦力が大きくなって釣糸の劣化をもたらす。
▲２▼  大魚が暴れて左右に走ると、摩擦力はさらに大きなものになって釣糸の損傷をさらに激しいものにして、糸切れを起こす危険性を高める。
▲３▼  釣糸との摩擦力は釣糸ガイド装置を傷つけて破損が危惧される。
▲４▼  大魚の釣上げ時は大きな力を必要とするが、釣糸ガイド装置と釣糸との摩擦力によって有効な巻取力が減じることになる。
▲５▼  キャスティング動作において、釣糸が左右に揺動する釣糸ガイド装置に触れて摩擦力が発生するために、ポイントから仕掛が外れ易い。
【０００８】
しかしながら、大魚釣用リールに釣糸ガイド装置が装備されていないことは、上述した釣糸ガイド装置の優れた機能を利用できないことになるから、下記のような不具合を生じており、快適な大魚釣りのためにその改善が嘱望されていた。
【０００９】
▲１▼  仕掛をやり直す空巻取の場合は、釣糸をスプールに整列させながら巻取る熟練操作が必要になる。
▲２▼  巻取時の操作は、手袋を装着しても、手を損傷する可能性がある。
▲３▼  釣糸巻取機構だけの巻取は、釣糸の偏りを発生させて長い釣糸の全部を巻ききれずに巻き直す必要を発生する。
▲４▼  偏って巻かれた釣糸のキャスティング動作は、放出操作にスムーズさが無く、ポイントに仕掛けを落とすことができない。
▲５▼  小さな魚がかかった場合にも、上記の不具合が発生する。
【００１０】
【本発明が解決しようとする課題】
本発明は、上記の問題点に鑑みてその改善を図ったものであり、大魚を釣上げる時は、従来の大魚釣用リールと同様に釣糸ガイド装置を用いない釣上げが可能であると共に、空巻取等では、釣糸ガイド装置が備えていた機能を随意に発揮させることのできる大魚釣用リールの提供を目的にしている。
【００１１】
【課題を解決するための手段】
本発明による大魚釣用リールは、釣糸巻取機構により釣糸をスプールに巻取る両軸受型の大魚釣用リールにおいて、スプールと平行に配置されて釣糸をスプールに平均的に巻取らせる釣糸ガイド装置と、釣糸ガイド装置に装備されて釣糸から着脱自在に形成される釣糸ガイド部材から構成されるものであり、釣人が任意の時に釣糸ガイド装置の釣糸ガイド部材を、釣糸から着脱自在に操作できるように形成することで、大魚を釣上げる際は、釣糸ガイド装置の釣糸ガイド部材を釣糸から外して機能させず、空巻取等の時は、釣糸ガイド部材を釣糸に関与させて釣糸をスプールに平均させて巻取りできる優れた操作性を実現している。
【００１２】
【発明の実施の形態】
本発明による大魚釣用リールは、釣糸巻取機構により釣糸をスプールに巻取る両軸受型の大魚釣用リールにおいて、スプールと平行に配置されて釣糸をスプールに平均的に巻取らせる釣糸ガイド装置と釣糸ガイド装置に装備されて釣糸から着脱自在に形成される釣糸ガイド部材から構成されている。
【００１３】
以下に、本発明による大魚釣用リールの実施の形態を図面に基づいて詳細に説明する。
【００１４】
本発明による大魚釣用リールの第１の実施形態を、図１〜図５に示すが、図１は、本発明による大魚釣用リールの正面図、図２は側面図である。
【００１５】
本発明による大魚釣用リール１は、左右の側枠２ａと２ｂとを有し、その間に釣糸巻取機構３を装備している。又、大魚釣用リール１には、ロッドに装着するためのリールフット２２を備えている。
【００１６】
釣糸巻取機構３の中心には、スプール軸４が配置されており、スプール５がスプール軸４によって回転可能に支持されている。また、ハンドル６が取り付けられたハンドル軸６ａは、側枠２に回転可能に支持されている。ハンドル軸６ａは、ハンドル６の操作によって回転し、図示しない駆動機構を介してスプール軸４及びスプール５を回転させている。
【００１７】
本実施の形態においても、この駆動機構には、一般の各種リールで公知であるようにクラッチが装備されており、クラッチ入操作において、ハンドル６の操作による駆動機構が有効となって、釣糸巻取操作が可能となると共に、スプール５は逆転防止状態となる。
【００１８】
また、クラッチ切操作においては、駆動機構が解除されるものであり、スプールは自由に回転できる状態となる。また、巻取動作をスムーズに開始できるように、クラッチ切でハンドル６を操作すると、自動的にクラッチが入となる機構も装備されている。さらに、魚の引きが非常に強い場合には、釣糸切れを未然に防止するためのドラグ機構が働き、自動的に釣糸を繰出して糸切を防止している。
【００１９】
釣糸ガイド装置７は、スプール軸４の回転に連動して左右に揺動する釣糸ガイド支持部材８と、釣糸ガイド着脱ヒンジ９を介して接続され、釣糸をガイドする釣糸ガイド部材１０から構成されている。釣糸ガイド部材１０は、随意に着脱可能であり、着位置１０ａでは、スプール５の釣糸巻取経路内に位置し釣糸ガイド溝１０ｃに釣糸を係合させることでスプール５に平均的に釣糸を巻取ることができる。
【００２０】
尚、脱位置１０ｂでは、釣糸ガイド部材１０は、スプール５の釣糸巻取経路外に位置するように構成されている。
【００２１】
次に、この釣糸ガイド装置７による、釣糸の平均巻取機構を説明する。
図３は、図１の（３）−（３）断面図であり、スプール軸４と同心の駆動歯車１１の回転は、中間歯車１２を介してカム軸歯車１３に伝達され、カム軸歯車と同軸のトラバースカム軸１４が回転する様子を明示している。
【００２２】
図４は、図２の（４）−（４）断面図であり、釣糸ガイド部材１０は着位置１０ａに保持されている。トラバースカム軸１４には、トラバースカム溝１４ａが刻まれており、トラバースカム溝１４ａには、釣糸ガイド支持部材８に装着されたトラバースピン１５の先端が係合している。
【００２３】
釣糸ガイド支持部材８は、円筒部材１６と案内軸１７に回転不能状態と左右揺動可能に支持されている。この左右揺動幅は、スプール５の釣糸巻取有効幅に対応して設定されており、これらの寸法に対応してトラバースカム溝１４ａの加工範囲と、円筒部材１６に開口している長孔１６ａの長さが定められている。
【００２４】
従ってハンドル６を操作すると、駆動機構によってカム軸歯車１３と、カム軸歯車に同心のトラバースカム軸１４とが回転し、トラバースピン１５がトラバースカム溝１４ａをトレースして、その動作がトラバースピン１５と一体化されている釣糸ガイド支持部材８に伝達される。しかるに、釣糸ガイド支持部材８は、円筒部材１６と案内軸１７により回転不能状態と左右揺動可能に支持されているので、釣糸ガイド支持部材８は左右に揺動し、これに伴って、釣糸ガイド着脱ヒンジ９を介した釣糸ガイド部材１０も左右に揺動する。
【００２５】
ハンドル６の操作によるスプール５の回転運動と、釣糸を保持した釣糸ガイド部材１０の左右揺動運動とは、ギヤ類とカムで連動していることから、その動作比率はギヤ類などの機構によって定まる率で一定であり、釣糸は、回転するスプール５に対向して一定の比率の速度で左右に揺動するように釣糸ガイド部材１０によって導かれながらスプール５に平均的に巻取られる。
【００２６】
次に釣糸ガイド部材１０の着脱機構について説明する。
図５（ａ）は、図２の（５）−（５）断面図であり、  図示のように釣糸ガイド部材１０は、釣糸ガイド着脱ヒンジ９を介して釣糸ガイド支持部材８と係合している。図５（ｂ）は、図５（ａ）の（ｂ）−（ｂ）断面図であるが、ここに示すように釣糸ガイド部材１０は、釣糸ガイド着脱ヒンジ部材９の着脱軸１８にキー１９を介して一体化されている。また、釣糸ガイド部材１０は、着位置留め穴１０ｄに装着された留めバネ２３が着位置留め金具８ｄを保持することで、支持部材８に係合されて着位置１０ａに保持される。
【００２７】
また、図５（ｃ）は図５（ａ）の（ｃ）−（ｃ）断面図であるが、着位置留め金具８ｄと留めバネ２３の嵌合状態を示す。即ち、留めバネ２３が、着位置留め金具８ｄの突起部を左右方向から押さえ込んで保持されている。
【００２８】
また、図５（ｄ）は図５（ａ）の（ｄ）−（ｄ）断面図であり、釣糸ガイド支持部材８には、着脱軸１８を介して釣糸ガイド部材１０を着位置１０ａで保持するための着位置ラッチ板バネ２０ａと、脱位置１０ｂで保持するための脱位置ラッチ板バネ２０ｂとが装着されている。
【００２９】
これによって、釣糸ガイド部材１０が着位置１０ａにある場合は、着位置ラッチ板バネ２０ａの突起部が、着脱軸１８の板バネ噛合溝１８ａに噛合して、先に述べた着位置留め金具８ｄの作用と相俟って、釣糸ガイド部材１０を着位置１０ａに保持する。また、釣糸ガイド支持部材８の着位置支持突起部８ａが、釣糸ガイド部材１０の裏面に接触支持することで、釣糸の巻取方向の力を着脱軸１８と共に受けながら、釣糸ガイド部材１０の姿勢を安定させる。
【００３０】
次に、釣糸ガイド部材１０を操作して脱位置１０ｂとする場合を説明するが、この操作は、図５（ｄ）に示す着位置１０ａから釣糸ガイド部材１０を、手を用いながら回転させることで、図５（ｄ′）に示す脱位置１０ｂに倒すことで達成されている。
【００３１】
この操作によって、着位置留め金具８ｄは、留めバネ２３を装着した釣糸ガイド部材１０から外れるが、一方では、釣糸ガイド着脱ヒンジ９の内部において、釣糸ガイド部材１０と一体化された着脱軸１８が回転しており、この回転によって、板バネ噛合溝１８ａが、着位置ラッチ板バネ２０ａの突起部から外れ、これに次いで板バネ噛合溝１８ａが、脱位置ラッチ板バネ２０ｂの突起部に噛み合うことで、釣糸ガイド部材１０を脱位置１０ｂに保持できる。
【００３２】
また、釣糸ガイド支持部材８の脱位置支持突起部８ｂが、釣糸ガイド部材１０の表面を接触支持することで、釣糸ガイド着脱ヒンジ９の近くに多少の異物が付着していても、釣糸ガイド部材１０は、脱位置１０ｂで安定した状態に維持される。
【００３３】
尚、上記では、板バネを用いた着脱機構について説明したが、着脱機構は、本機構に限定されることなく、嵌合による方法や、永久磁石を用いる方法など、種々の機構を適用し得るものである。
【００３４】
次に、大魚釣用リールの操作について説明する。
まず、スプール５に釣糸が巻かれ、釣糸の先に仕掛けが装着されている状態とする。釣人は、釣糸ガイド部材１０を手動で脱位置１０ｂに倒すとともにクラッチ機構を解除して、スプール５が自由回転可能な状態にする。この時、クラッチ機構、中間歯車１２の係合も外れることで、釣糸ガイド装置７を除外している。この結果、スプール５は、ハンドル６の操作や釣糸ガイド装置７の負荷から自由になり、釣人は、仕掛けをキャスティングし、スプール４は釣糸を放出して、釣りのポイントに仕掛けを容易に落とすことが可能になる。
【００３５】
次いで、釣人は所定の長さの釣糸を繰出した後に、クラッチを入状態にしながら仕掛けの位置を固定して魚信を待つことになる。ここで、大魚が掛かった場合には、リールの巻取操作を行うが、釣糸ガイド部材１０が脱位置１０ｂにあるために、釣糸ガイド部材１０は、釣糸をガイドすることがなく従来通りの操作によって釣人の力量を発揮した大魚釣が行える。
【００３６】
尚、大魚の引きが特に強い場合は、リール１の図示していないドラグ機構が働き、自動的に釣糸を繰出して釣糸が切れることを防止する。
【００３７】
また、大魚を釣上げることが困難な場合は、釣人が自分の判断でクラッチを外し、釣糸を魚に引かせて繰り出すことで、魚との駆け引きを行う。ここで再び巻取操作に入る場合は、ハンドル６を操作することで、自動的にクラッチが入る機構を装備しているので、ハンドル６の操作により巻取操作を開始できる。
【００３８】
以上の操作によって大魚を釣上げることができるが、これらの操作の間は、釣糸ガイド部材１０が、脱位置１０ｂにあることで釣糸ガイド部材１０は釣糸をガイドすることがない。
【００３９】
一方、魚が掛からず仕掛けをやり直す場合の空巻や、比較的小型の魚が掛かった場合の巻取では、手動で釣糸ガイド部材１０を着位置１０ａとし、釣糸を釣糸ガイド溝１０ｃに手によって装着してからハンドル６を操作することで、自動的にクラッチ機構が入り、釣糸ガイド装置７も連動して左右に揺動する。
【００４０】
その結果、釣糸をスプール５に平均して均一に巻き取ることができるが、この時の釣糸の操作方向は、巻取方向と同一であることから釣糸ガイド部材１０に掛かる力は、スプール５に向かう方向と同様に働き、釣糸ガイド部材１０は、自ずと釣糸ガイド支持部材８の着位置支持突起部８ａに押しつけられるので、着位置１０ａで安定させることができる。
【００４１】
釣糸の巻取が終わった後に、釣糸ガイド部材１０は手によって脱位置１０ｂに戻されるが、この時の釣糸は、同時に釣糸ガイド溝１０ｃから外れている。脱位置１０ｂでは、釣糸ガイド部材１０が、図３に示すようにほぼリールの側枠２の内部に収まるので、操作の妨げにならない。
【００４２】
本実施形態では、ハンドル６による手動操作の機構について説明したが、電動式リールであっても、本発明に関する構成は、同様に適用できるものであることは明らかである。
【００４３】
以上の構成で明らかなように、本実施の形態による大魚釣用リールは、釣人が随時に釣糸ガイド装置の釣糸ガイド部材を釣糸から着脱自在に操作できるように構成されているので、大魚を釣上げる際は、釣糸ガイド装置の釣糸ガイド部材を釣糸から外して機能させず、空巻取等の時は、釣糸ガイド部材を釣糸に関与させて釣糸をスプールに平均させて巻取りできる優れた操作性を実現している。
【００４４】
以上、本発明を実施の形態に基づいて詳細に説明してきたが、本発明による大魚釣用リールは、上記実施の形態に何ら限定されるものではなく、釣糸ガイド装置、釣糸ガイド部材等の具体的な構造や材質において、本発明の主旨を逸脱しない範囲において種々の変更が可能であることは当然である。
【００４５】
【発明の効果】
本発明による大魚釣用リールは、釣糸巻取機構により釣糸をスプールに巻取る両軸受型の大魚釣用リールにおいて、スプールと平行に配置されて釣糸をスプールに平均的に巻取らせる釣糸ガイド装置と釣糸ガイド装置に装備されて釣糸から着脱自在に操作できるように形成される釣糸ガイド部材から構成されているので、以下のような具体的な効果と、大魚を釣上げる際は釣糸ガイド装置の釣糸ガイド部材を釣糸から外して機能させず、空巻取等の時は釣糸ガイド部材を釣糸に関与させて釣糸をスプールに平均させて巻取りできる、優れた操作性を実現できる効果を発揮している。
【００４６】
（１）    小型魚の釣上げや空巻きの時もスプールに平均的に釣糸を巻き取ることができる。
（２）    キャスティング時に釣糸を円滑に送出してポイントをヒットし易くできる。
（３）    仕掛け時間を短縮できる。
（４）    熟練者の技量を活かしたリール操作が可能になる。
（５）    釣糸の摩擦による損耗や切断と釣糸ガイドの破損を防止できる。
（６）    釣糸等の消耗品コストを低減できる。
【図面の簡単な説明】
【図１】本発明による大魚釣用リールの第１の実施形態を示す正面図。
【図２】本発明による大魚釣用リールの第１の実施形態を示す側面図。
【図３】図１に示す大魚釣用リールの（３）−（３）断面図。
【図４】図２に示す大魚釣用リールの（４）−（４）断面図。
【図５】図２に示す大魚釣用リールの（５）−（５）断面図。
【符号の説明】
１  大魚釣用リール、２  側枠、２ａ  左側枠、２ｂ  右側枠、
３  釣糸巻取機構、４  スプール軸、５  スプール、６  ハンドル、
６ａ  ハンドル軸、７  釣糸ガイド装置、８  釣糸ガイド支持部材、
８ａ  着位置支持突起部、８ｂ  脱位置支持突起部、８ｄ  着位置留め金具、
９  釣糸ガイド着脱ヒンジ、１０  釣糸ガイド部材、１０ａ  着位置、
１０ｂ、４０ｂ  脱位置、１０ｃ  釣糸ガイド溝、１０ｄ  着位置留め穴、
１１  駆動歯車、１２  中間歯車、１３  カム軸歯車、
１４  トラバースカム軸、１４ａ  トラバースカム溝、１５  トラバースピン、
１６  円筒部材、１６ａ  長孔、１７  案内軸，１８  着脱軸、
１８ａ  板バネ噛合溝、１９  キー、２０ａ  着位置ラッチ板バネ、
２０ｂ  脱位置ラッチ板バネ、２１  軸受、２２  リールフット、
２３  留めバネ、
【図１】
2004147615.tif 000003
【図２】
2004147615.tif 000004
【図３】
2004147615.tif 000005
【図４】
2004147615.tif 000006
【図５】
2004147615.tif 000007